(57)【要約】      （修正有）【課題】多数の監視画面から構成されるプラント監視装置において、閲覧対象の監視画面を容易に探索する方法を提供する。【解決手段】プラント監視装置は、入力イベントから表示倍率を計算する表示倍率計算部１４と、表示ルールと着目点に応じてプラントデータと画面情報をもとに着目情報を抽出する着目情報抽出部１３と、監視画面を構成要素として表形式で表示情報を生成する表示情報生成部１１と、描画更新が必要な情報についてプラントデータを取得して表示を更新する表示情報更新部１２を有する表示管理部１とを備える。【選択図】図１
2016014999.tif 000002
【特許請求の範囲】
【請求項１】
監視画面から表示情報を生成して表示装置に出力する表示管理部と、
前記表示管理部からの要求によりプラントデータを提供するプラントデータ提供部と、
前記表示管理部からの要求により前記監視画面の画面イメージの静止画像及び前記監視画面の監視画面情報を提供する画面情報提供部と、
入力装置からの入力イベントを処理して前記表示管理部に渡すイベント処理部と、
着目点を前記表示管理部に設定する着目点入力部と、
表示倍率に応じた前記表示情報の前記監視画面の構成及び描画方法、前記着目点の描画方法を規定した表示ルールを格納した表示ルール格納部とを備え、
表示管理部は、
前記入力イベントから表示倍率を計算する表示倍率計算部と、
前記表示ルールと前記着目点とに応じて前記プラントデータ及び前記監視画面情報から着目情報を抽出する着目情報抽出部と、
前記監視画面を構成要素として表形式で前記表示情報を生成する表示情報生成部と、
前記プラントデータを取得して表示を更新する表示情報更新部とを備えていることを特徴とするプラント監視装置。
【請求項２】
表示管理部は、表示装置の画面のスクロールを制御するスクロール制御部を備えたことを特徴とする請求項１に記載のプラント監視装置。
【発明の詳細な説明】
【技術分野】
【０００１】
この発明は、プラントの運転、制御、操作、監視を行うプラント監視装置に関するものである。
【背景技術】
【０００２】
一般に、発電などのプラント監視装置では、監視対象の設備や機器から計測値を収集し、これをもとに表示情報を生成して表示装置に表示する。表示情報は機能や構成に応じて、複数の監視画面に分割して作成されるが、大規模なプラントでは監視画面の枚数が多くなるため、機能や構成で分類され階層化されている。プラントの運転員は、階層を辿って所望の監視画面を表示している。
【０００３】
中央監視室で表示装置を見て運転操作を行うプラントの運転員は、一般に監視業務の熟練者であり、どの画面がどの階層に属しているか、また、どのような場合にどの画面を見るかを熟知している。しかしながら、タブレットなど携帯型の端末を持って現場で保守点検を行う作業員は、一般に監視業務の熟練者ではないため、監視機能の分類
や階層構造を十分に記憶しているとは限らない。このため、所望の監視画面を表示するためには、プラントの機能や構成に関する知識、画面の
階層構造や操作方法について習得する必要があった。
【０００４】
特許文献１では、ＩＣタグに、階層化された監視機能の中から所望の階層の監視機能を選択する選択機能情報を記録しておき、例えば、携帯型の端末でこのＩＣタグを読み取り、その情報にもとに監視画面を表示することにより、監視画面を選択して表示するまでの手間を軽減している。
【先行技術文献】
【特許文献】
【０００５】
【特許文献１】特開２００７−３１０８０２号公報（段落番号１３）
【発明の概要】
【発明が解決しようとする課題】
【０００６】
特許文献１によると、ＩＣタグをかざすだけで、自動的に所望の監視機能に対応した監視画面を表示することができるので、作業員が階層構造や操作手順を十分に習得しておく必要がない。
【０００７】
しかしながら、ＩＣタグに埋め込まれる情報は固定的であり、特定の監視画面（複数枚の場合を含む。）しか選択表示できない。例えば、現在発生中の警報に関連する画面など、プラントの現在状態に応じて動的に変化する対象を選択したい場合には、従来通りの操作が必要となる。また、点検対象の設備に関連する画面、特定の入出力点に関連する画面など、様々な観点から表示対象となる監視画面を探索したい場合には、プラントや監視業務の高度な知識が必要となる。
【０００８】
本発明は、上記のような課題を解決するためになされたものであり、容易に所望の監視画面を選択する手段を提供することを目的としている。
【課題を解決するための手段】
【０００９】
この発明に係るプラント監視装置は、監視画面から表示情報を生成して表示装置に出力する表示管理部と、表示管理部からの要求によりプラントデータを提供するプラントデータ提供部と、表示管理部からの要求により監視画面の画面イメージの静止画像及び監視画面の監視画面情報を提供する画面情報提供部と、入力装置からの入力イベントを処理して表示管理部に渡すイベント処理部と、着目点を表示管理部に設定する着目点入力部と、表示倍率に応じた表示情報の監視画面の構成及び描画方法、着目点の描画方法を規定した表示ルールを格納した表示ルール格納部とを備え、表示管理部は、入力イベントから表示倍率を計算する表示倍率計算部と、表示ルールと着目点とに応じてプラントデータ及び監視画面情報から着目情報を抽出する着目情報抽出部と、監視画面を構成要素として表形式で表示情報を生成する表示情報生成部と、プラントデータを取得して表示を更新する表示情報更新部とを備えていることを特徴とする。
【発明の効果】
【００１０】
この発明によれば、表示管理部は、入力イベントから表示倍率を計算する表示倍率計算部と、表示ルールと着目点とに応じてプラントデータ及び監視画面情報から着目情報を抽出する着目情報抽出部と、監視画面を構成要素として表形式で表示情報を生成する表示情報生成部と、プラントデータを取得して表示を更新する表示情報更新部とを備えているので、着目点を識別しやすいように表示情報を生成でき、監視画面を構成要素とする表形式の表示情報の中から容易に閲覧対象の監視画面を探索することができる。
【図面の簡単な説明】
【００１１】
【図１】本発明の実施の形態１によるプラント監視装置を示すブロック図である。
【図２】本発明の実施の形態１で示すピンチイン操作の例である。
【図３】本発明の実施の形態１で示すピンチアウト操作の例である。
【図４】本発明の実施の形態１による表示ルールの例である。
【図５】本発明の実施の形態１における監視画面の表示例である。
【図６】本発明の実施の形態１における画面の表示処理を示すフローチャートである。
【図７】本発明の実施の形態１における画面の更新処理を示すフローチャートである。
【図８】本発明の実施の形態１におけるピンチイン中を示す表示例である。
【図９】本発明の実施の形態１における監視画面の表示例である。
【図１０】本発明の実施の形態１における監視画面の表示例である。
【図１１】本発明の実施の形態１における監視画面の表示例である。
【図１２】本発明の実施の形態１における監視画面の表示例である。
【図１３】本発明の実施の形態２におけるプラント監視装置を示すブロック図である。
【図１４】本発明の実施の形態２で示すスワイプ操作の例である。
【図１５】本発明の実施の形態２における監視画面の表示例である
【図１６】本発明の実施の形態２における監視画面の表示例である
【図１７】本発明の実施の形態２におけるスクロール制御ルールの例である。
【発明を実施するための形態】
【００１２】
実施の形態１．
図１は本発明の実施の形態１によるプラント監視装置を示すブロック図である。図１において、表示管理部１は画面情報提供部５から取得した画面情報と、プラントデータ提供部６から取得したプラントデータに基づいて表示情報を生成し、表示装置９に出力する。表示情報をどのように生成するかは、表示ルール格納部２から取り出した表示ルールと着目点にもとづいて決定される。なお、図において、同一の符号を付したものは、同一またはこれに相当するものであり、このことは明細書の全文、図面の全図において共通することである。さらに、明細書全文に表れている構成要素の形態は、あくまで例示であってこれらの記載に限定されるものではない。
【００１３】
表示管理部１は、表示情報生成部１１、着目情報抽出部１３、表示倍率計算部１４、表示情報更新部１２を有する。表示倍率計算部１４は、イベント処理部７から受け取った入力イベントから表示倍率を計算する。着目情報抽出部１３は、表示ルール、着目点に応じて、プラントデータと画面情報とから着目対象の情報を抽出する。表示情報生成部１１は、画面情報提供部５から取得した画面情報をもとに、１つ以上の監視画面を構成要素として表形式で表示情報を生成する。表示情報更新部１２は、描画更新が必要な情報について、プラントデータ提供部６からプラントデータを取得し、必要に応じて着目情報を再抽出し、変更箇所を再描画する。
【００１４】
画面情報提供部５は、表示管理部１からの要求に応じて、監視画面情報格納部４に格納された監視画面情報やサムネイル情報格納部３に格納された監視画面の画像を提供する。プラントデータ提供部６は、表示管理部１からの要求に応じてプラントデータを提供する。
【００１５】
イベント処理部７は、入力装置１０からユーザのタッチ操作・マウス操作・キーボード入力などにより発生した入力イベントを受け取り、表示管理部１に渡す。着目点入力部８は、入力された着目点に関する情報を表示管理部１に渡す。
【００１６】
本装置では、まず着目点を設定する。ここでは、着目点を「現在発生中の警報」とする。着目点は、ユーザが入力装置１０を用いてメニュー選択などにより入力してもよいし、ユーザ以外がネットワーク等を通じて入力してもよい。例えば、作業の指示を行う管理者が、「作業対象の機器」を着目点として設定する、などである。また、入力がない場合に、何を着目点にするかを予め決めておいてもよい。
【００１７】
ユーザの拡縮操作を例にイベント入力について説明する。マルチタッチによる拡大・縮小の操作方法には、ピンチアウト（二本の指を離していき、指と指の間を広げる動作）とピンチイン（二本の指をひっつけていき、指と指の間を狭める動作）とがある。ピンチインとピンチアウトとの例を図２と図３に示す。ペンやマウス操作の場合はメニューやボタンなどからの選択、キーボード入力の場合は入力フィールドへの数値入力などがある。
【００１８】
入力装置１０から発生したイベントがイベント処理部７に伝達されると、イベント処理部７は操作の種別とパラメータとを表示管理部１に渡す。例えば、ピンチインの場合、種別は縮小、パラメータは指の移動距離になる。表示倍率計算部１４は、種別とパラメータとから表示倍率を計算する。ボタンや数値入力の場合、表示倍率は入力された数値そのものとなる。
【００１９】
監視画面の表示例について述べる。例えば、表示倍率が１の場合は監視画面そのもの（監視画面の表示領域全体に表示されている状態）、表示倍率が１より大きい場合は監視画面の拡大表示、表示倍率が１より小さい場合は複数の監視画面を並べた一覧表示とする。一覧表示の場合の監視画面は、例えば、表示倍率が大きめ（構成要素の監視画面が２〜３枚程度）の場合には、表示倍率が１の監視画面と同様にプラントデータに応じて画面の表示更新を行う。中程度（数枚程度）の場合は、着目情報のみ強調して表示更新を行う。小さめ（１０枚以上）の場合は、個々の監視画面の表示更新を行わず、着目情報の有無のみ識別できるよう表示する。これらは表示ルールに規定する。描画方法や表示更新方法、着目点の描画方法はこの例以外の方法でもよい。
【００２０】
表示ルールの具体例を図４に示す。表示ルールには、表示倍率ごとに、画面をどのように構成するかの画面構成方法、構成要素の監視画面の描画方法、着目点の描画方法が規定されている。図４の例では、表示倍率により５段階に分けられている。２段階目まで監視画面はモニタリング表示を行う。モニタリング表示とは、監視画面を構成している部品のうち、プラントデータに関連付けられている可変部品が、プラントデータの変化に連動して描画を変更する表示方法である。可変部品の例としては、弁の開閉状態を示す部品（図５の６１）や、温度の値に応じて変化する数値部品（図５の６２）などがある。３段階目以降ではモニタリング表示は行わず、サムネイル画像を描画する。これは、縮小率が高くなると監視画面の構成要素である部品が小さくなり監視状態が見にくくなる、監視画面数が増えると取得対象のプラントデータの数が増えるため処理負荷が高くなる、などの理由からである。
【００２１】
着目点の描画方法としては、１段階目の等倍又はそれ以上の拡大表示では、着目点に関して特別な表示は行わない。これは、すでに閲覧対象の監視画面を選択できているからである。２段階目では、モニタリング表示しながら縮小表示し、監視画面が着目点を含むことを識別可能なよう、監視画面の枠を色付きの太枠などで強調表示する。３、４段階目では強調枠表示に加え、監視画面上に着目対象の部品を大きめに描画する。着目部品のみが大きく描画されるため識別しやすくなる。５段階目では、監視画面がさらにたくさん配置され、個々の監視画面が小さくなるため、着目部品の強調表示をやめ、監視画面の強調枠のみ描画する。
【００２２】
着目点が「現在発生中の警報」、表示倍率が１の場合を例として、監視画面が表示されるまでの手順を図６のフローチャートをもとに示す。表示倍率が１の場合の画面例は図６である。表示管理部１では、表示ルール格納部２から表示倍率に応じた表示ルールを取り出す（ステップＳ１）。表示ルールの画面構成方法に基づき、表示対象の監視画面を決定する（ステップＳ２）。ここでは、表示倍率が１のため、対象となる監視画面は１枚となる。
【００２３】
次に、表示対象の監視画面について、ステップＳ４からＳ９の処理を繰り返す。ステップＳ４では、画面情報提供部５より監視画面の画面情報を取得する。ここでは、表示ルールの監視画面描画方法がモニタリング表示となっているため、画面情報として監視画面情報を取得する。モニタリング表示を行う場合（ステップＳ５）、監視画面情報から可変部品を描画するために必要なプラントデータをプラントデータ提供部６から取得する（ステップＳ６）。ここでは、モニタリング表示を行うため、プラントデータを取得する。
【００２４】
次に、表示ルールの着目点描画方法に従い、着目点を描画する場合には（ステップＳ７）、着目点に関連するプラントデータをプラントデータ提供部６から取得し（ステップＳ８）、着目情報を抽出する（ステップＳ９）。ここでは、着目点を描画しないため、何も処理を行わない。監視画面の数だけ処理を繰り返して（ステップＳ３）描画に必要な情報を取得し、画面のレイアウトを行う（ステップＳ１０）。ここでは、１枚表示のため、単純に対象の監視画面を表示領域全体に位置するようにする。続いて、取得した情報をもとに、監視画面を描画する（ステップＳ１１）。さらに、必要に応じて着目点を描画する（ステップＳ１２、１３）。ここでは、着目点の描画は行わない。
【００２５】
周期的又は散発的にプラントデータが変化した際、監視画面の表示を更新する。監視画面を表示更新する手順を図７のフローチャートに示す。モニタリング表示している場合（ステップＳ２１）、可変部品を描画するために必要なプラントデータをプラントデータ提供部６より取得し（ステップＳ２２）、監視画面を再描画して表示を更新する（ステップＳ２３）。
【００２６】
次に、着目点を描画する場合（ステップＳ２４）、着目点を描画するために必要なプラントデータをプラントデータ提供部６より取得し（ステップＳ２５）、必要に応じて着目情報を再抽出し（ステップＳ２６）、着目点の表示を更新する（ステップＳ２７）。着目点が現在発生中の警報の場合は、発生中の警報に応じて着目情報が変化するため、ステップ２６で抽出処理を行う。着目点が保守点検対象の機器の場合、着目情報は変化しないため処理は行わない。
【００２７】
表示倍率が変更される際の処理を示す。監視画面が表示されている状態でタッチ操作によりピンチインすると、表示情報生成部１１は監視画面上にピンチイン中であることを重畳表示して表示装置９に出力する（図８）。ピンチインのイベントはイベント処理部７を通じて表示管理部１に渡される。表示倍率計算部１４は指の移動量のパラメータから表示倍率を計算する。
【００２８】
ここで、ピンチインによる縮小操作により表示倍率が１から０．８に変化したとする。ピンチイン操作前後の画面例を図９に示す。表示管理部１は、表示ルール格納部２から該当する２段階目の表示ルールを取得する。る（ステップＳ１）。続いて、表示対象の監視画面を表示領域から計算し、３枚の監視画面を決定する（ステップＳ２）。ここでは、モニタリング表示をするため、３枚の監視画面について表示倍率１と同様に、監視画面情報とプラントデータの取得を行う。着目点を含む場合には監視画面に強調枠表示をするため、着目点に関連するプラントデータすなわち現在発生中の警報を取得し（ステップＳ８）、着目情報として現在発生中の警報に関連する可変部品を着目対象の部品として抽出する（ステップＳ９）。
【００２９】
画面のレイアウトでは、３枚の画面を横一列に配置する（ステップＳ１０）。着目点の描画では、着目対象の部品を含む監視画面の枠を太線で描画して強調表示を行う（ステップＳ１３）。描画更新の際は、着目情報の再取得を行う。
【００３０】
引き続きピンチイン操作を続け、表示倍率が１／２になると、表示ルールが３段階目となる。ピンチイン操作前後の画面例を図１０に示す。このとき、監視画面はサムネイル画像を表示する。サムネイル画像は、監視画面のスナップショットを静止画像として保存したものである。スナップショットを画像にする際には、縮小率に応じて、表示する情報量を調整する。例えば、アナログのプラントデータに応じて変化する数値表示部品は、一定以下の倍率の場合には描画しない。これは、縮小率が高ければ文字がつぶれて読めないからである。ここではモニタリング表示しないため、可変部品を描画するためのプラントデータは取得しない。
【００３１】
画面レイアウトでは、４つの監視画面を配置する。着目点の描画では監視画面の強調表示に加え、着目対象の部品の強調表示を行う。そのため、着目対象の部品を描画するために必要なプラントデータを取得する。着目点を描画する際には、着目対象の部品を監視画面の縮小率よりも大きめに強調して描画する（図１１の１０１）。監視画面を単純に縮小表示すると、表示内容が細かくなり過ぎて画面の状態が把握しづらくなってしまうが、見やすいように調整されたサムネイル画像を背景に、着目対象の部品のみ大きめに重畳表示することにより、着目対象が識別しやすくなる。
【００３２】
さらに、ピンチイン操作を続け、表示倍率が１／４未満になると、表示ルールが５段階目となり、横４行で表示される（図１２）。ここでは、モニタリング表示や着目対象の部品の強調を行わず、着目対象を含む監視画面の強調枠表示のみを行う。
【００３３】
以上のように、監視画面から表示情報を生成して表示装置９に出力する表示管理部１と、表示倍率に応じた表示情報の監視画面の構成及び描画方法、着目点の描画方法を規定した表示ルールを格納した表示ルール格納部２と、表示管理部１からの要求によってプラントからの計測値を提供するプラントデータ提供部６と、監視画面の画面イメージの静止画像を格納したサムネイル情報格納部３と、監視画面の監視画面情報を格納した監視画面情報格納部４と、表示管理部からの要求によってサムネイル情報格納部６から取り出した画像又は監視画面情報格納部４に格納された監視画面情報を提供する画面情報提供部５と、入力装置１０からの入力イベントを処理して表示管理部１に渡すイベント処理部７と、着目点を表示管理部１に設定する着目点入力部８とを備えている。
【００３４】
また、表示管理部１は入力イベントから表示倍率を計算する表示倍率計算部１４と、表示ルール格納部２から取り出した表示ルールと着目点に応じて、プラントデータ提供部６から取得したプラントデータと画面情報提供部５から取得した画面情報をもとに着目情報を抽出する着目情報抽出部１３と、１つ以上の監視画面を構成要素として表形式で表示情報を生成する表示情報生成部１１と、描画更新が必要な情報についてプラントデータ提供部６からプラントデータを取得して表示を更新する表示情報更新部１２を含み、表示管理部１が着目点を識別しやすいように表示情報を生成するので、監視画面を構成要素とする表形式の表示情報の中から、着目対象の監視画面が識別しやすくなるため、容易に閲覧対象の監視画面を探索することができる。監視画面を表形式で一覧表示し、表示倍率に応じて着目対象の監視画面や監視画面内の部品を識別しやすい形状で表示するからである。また、監視業務の熟練者ではない現場の点検保守作業員でも、着目点を識別しやすいため、容易に閲覧対象の監視画面を探索して表示することができる。
【００３５】
つまり、監視画面から表示情報を生成して表示装置に出力する表示管理部と、表示管理部からの要求によりプラントデータを提供するプラントデータ提供部と、表示管理部からの要求により監視画面の画面イメージの静止画像及び監視画面の監視画面情報を提供する画面情報提供部と、入力装置からの入力イベントを処理して表示管理部に渡すイベント処理部と、着目点を表示管理部に設定する着目点入力部と、表示倍率に応じた表示情報の監視画面の構成及び描画方法、着目点の描画方法を規定した表示ルールを格納した表示ルール格納部とを備え、表示管理部は、入力イベントから表示倍率を計算する表示倍率計算部と、表示ルールと着目点とに応じてプラントデータ及び監視画面情報から着目情報を抽出する着目情報抽出部と、監視画面を構成要素として表形式で表示情報を生成する表示情報生成部と、プラントデータを取得して表示を更新する表示情報更新部とを備えて、着目点を識別しやすいように表示情報を生成するので、監視画面を構成要素とする表形式の表示情報の中から容易に閲覧対象の監視画面を探索することができる。
【００３６】
実施の形態２．
図１３は本実施の形態２によるプラント監視装置を示すブロック図である。図１３において、表示管理部１はスクロール制御部１５を有している。スクロール制御部１５は、イベント処理部７から渡されたスクロールに関するイベントを受け、着目点の有無に応じてスクロールを制御する。スクロール制御ルール格納部１６は、スクロールの制御方法を格納している。なお、スクロールの対象は、表示装置９における画面である。
【００３７】
一般に、スクロールには通常スクロールと高速スクロールがある。通常スクロールの例としては、タッチ操作のスライド（表示面に触れたまま指をずらす動作）や、マウス操作のスクロールバーのドラッグがある。通常スクロールでは、表示内容を目視確認しながら表示領域を変更することが多い。高速スクロールの例としては、タッチ操作のスワイプ（タッチして指を軽く払う動作）、ホイールスクロール（マウスのホイールボタンを回転させる動作）がある。
【００３８】
左へ払うスワイプ操作の例を図１４に示す。高速スクロールでは、素早くスクロールさせながら表示内容をざっと見渡すことが多い。指が離れた後もスクロールが継続するため、スクロール中に見たい場所が現れた際には、画面をタッチしたり、マウスを操作するなど能動的にスクロールを止める必要があるが、止める動作が間に合わず見たい場所を通過してしまったり、思わぬ場所でスクロールをとめてしまう可能性がある。
【００３９】
ここでは、図４の表示ルールの５段階目で横４行の表形式で監視画面が一覧表示されている際に、横方向に高速スクロールする操作を例に説明する。
【００４０】
スワイプ操作により発生したイベントは、イベント処理部７を通じて表示管理部１に渡される。スクロール中は、図５に示す手順の通り、表示情報が生成される。このとき、スクロールにより新たに可視化された監視画面に着目情報が含まれるとする。図１５は、左へ払うスワイプ操作で画面の右下端に着目対象の監視画面１５１が現れた場合の図である。このとき、スクロール制御部１５は、着目対象の監視画面が一覧表示の中央付近に位置する際に見やすいように、スクロールを制御する。中央付近とは、ちょうど真ん中でもよいし、一覧表示で見やすいレイアウトで真ん中に近い位置でもよい。図１６は中央付近に着目対象の監視画面１６１が表示される例である。
【００４１】
スクロール制御部１５は、スクロール制御ルール格納部１６に格納されているスクロール制御ルールにもとづき、スクロールを制御する。スクロール制御ルールの例を図１７に示す。ＩＤが１の場合、スクロール速度はそのままで、着目対象の監視画面が中央付近に位置するとスクロールを自動的に停止する。ＩＤが２の場合、着目情報が可視化領域に入るとスクロールを減速した後、自動的に停止する。ＩＤが３の場合、中央位置付近にくるまでスクロールは減速するが、中央位置付近を通過するともとのスクロール速度まで加速する。減速することにより着目対象の監視画面を確認しやすくなるが、それが閲覧対象の監視画面でない場合はそのまま継続して探索することができる。スクロールが停止しないため、改めてスクロールさせる手間が発生しない。
【００４２】
以上のように、スクロールの制御方法を格納したスクロール制御ルール格納部１６と、表示管理部１にスクロール制御部１５を設け、スクロール制御部１５は着目点を含む監視画面が見やすいようにスクロールを制御するので、表形式で表示されている多くの監視画面の中からスクロールして監視画面を探す際、着目点を含む監視画面が見やすくなり、容易に閲覧対象の監視画面を探索することができる。
【００４３】
また、表示管理部は、表示装置の画面のスクロールを制御するスクロール制御部を備えたので、一覧表示の状態でのスクロール中に、着目対象の監視画面が可視領域に入った際に自動的にスクロールを停止したり減速したりすることにより、多数の監視画面の中から容易に対象となる監視画面を見つけ出すことができる、といった効果が得られる。特に、指で操作を行うタブレットなどの携帯型端末においてその効果を発揮する。
【符号の説明】
【００４４】
１  表示管理部、２  表示ルール格納部、３  サムネイル情報格納部、４  監視画面情報格納部、５  画面情報提供部、６  プラントデータ提供部、７  イベント処理部、８  着目点入力部、９  表示装置、１０  入力装置、１１  表示情報生成部、１２  表示情報更新部、１３  着目情報抽出部、１４  表示倍率計算部、１５  スクロール制御ルール格納部、１６  スクロール制御部、６１  弁の部品、６２  数値部品、１０１  着目対象の部品、１５１  着目対象の監視画面、１６１  着目対象の監視画面。
【図１】
2016014999.tif 000003
【図２】
2016014999.tif 000004
【図３】
2016014999.tif 000005
【図４】
2016014999.tif 000006
【図５】
2016014999.tif 000007
【図６】
2016014999.tif 000008
【図７】
2016014999.tif 000009
【図８】
2016014999.tif 000010
【図９】
2016014999.tif 000011
【図１０】
2016014999.tif 000012
【図１１】
2016014999.tif 000013
【図１２】
2016014999.tif 000014
【図１３】
2016014999.tif 000015
【図１４】
2016014999.tif 000016
【図１５】
2016014999.tif 000017
【図１６】
2016014999.tif 000018
【図１７】
2016014999.tif 000019